(57)【要約】【課題】  ケースの接合面への水や洗剤や石けんの浸入を抑制するケースの防水構造を提供する。【解決手段】  熱可塑性樹脂からなる下ケース７と、下ケース７の周縁に形成される環状の溝１１と、溝１１と連通するとともに電極１３が挿入されるように下ケース７に形成される貫通孔１２と、貫通孔１２から一部が露出するように溝１１内に配設される発熱体１７、１８と、熱可塑性樹脂からなる上ケース６と、上ケース６に形成され溝１１内に嵌る凸部１６とを備え、貫通孔１２内に電極１３を挿入し発熱体１７、１８に通電して溝１１の底と凸部１６の端部とを溶着するケースの防水構造において、下ケース７に溝１１を備えた第１壁部１０と、上ケース６に凸部１６を備えた第２壁部１５と、を設け、第１壁部１０の第２の壁部１５との対向面でかつ溝１１と凸部１６との外側に凹凸嵌合部２１を設けたものである。【選択図】図６
2011009510.tif 000002
【特許請求の範囲】
【請求項１】
熱可塑性樹脂からなる下ケースと、前記下ケースの周縁に形成される環状の溝と、前記溝と連通するとともに電極が挿入されるように前記下ケースに形成される貫通孔と、前記貫通孔から一部が露出するように前記溝内に配設される発熱体と、熱可塑性樹脂からなる上ケースと、前記上ケースに形成され前記溝内に嵌る凸部とを備え、前記貫通孔内に前記電極を挿入し前記発熱体に通電して前記溝の底と前記凸部の端部とを溶着するケースの防水構造において、前記下ケースに前記溝を備えた第１壁部と、前記上ケースに前記凸部を備えた第２壁部と、を設け、前記第１壁部の前記第２の壁部との対向面でかつ前記溝と前記凸部との外側に凹凸嵌合部を設けたことを特徴とするケースの防水構造。
【請求項２】
前記凹凸嵌合部は、前記下ケースの第１壁部の対向面に、前記上ケースの第２壁部の対向面側に突出した突出部と、前記上ケースの第２壁部の対向面に前記突出部が嵌る凹部と、からなることを特徴とする請求項１に記載のケースの防水構造。
【発明の詳細な説明】
【技術分野】
【０００１】
本発明は、熱可塑性樹脂からなる上下ケースの接合面に抵抗発熱体を挟み込み、この抵抗発熱体に電圧を印可して発熱させることにより、接合面の樹脂を溶融して溶着するケースの防水構造に関するものである。
【背景技術】
【０００２】
従来、浴室リモコンなどのように、熱可塑性樹脂からなるケース内の防水性を向上させるために、前記ケースを構成する上下ケースの接合面に抵抗発熱体を挟み込み、この抵抗発熱体に電圧を印可して発熱させることにより、接合面の樹脂を溶融して溶着するケースの防水構造があった（特許文献１を参照）。
【先行技術文献】
【特許文献】
【０００３】
【特許文献１】特開２００４−３１７５１号公報
【発明の概要】
【発明が解決しようとする課題】
【０００４】
しかしながら、浴室リモコンなどは、浴室内に設置されるために、日常的に、石けんが付着したり、温水シャワーなどの温水を浴びる状況である。このため、前記ケースの接合面に水のみならず石けんが、浸入する場合があり、さらに、浸入した水や洗剤や石けんなどによって、前記ケースの接合面部分にひびが、発生する虞があった。
【０００５】
そこで、本発明は、前述した問題点に着目し、ケースの接合面への水や洗剤や石けんの浸入を抑制するケースの防水構造を提供するものである。
【課題を解決するための手段】
【０００６】
本発明は前記目的を達成するため、熱可塑性樹脂からなる下ケースと、前記下ケースの周縁に形成される環状の溝と、前記溝と連通するとともに電極が挿入されるように前記下ケースに形成される貫通孔と、前記貫通孔から一部が露出するように前記溝内に配設される発熱体と、熱可塑性樹脂からなる上ケースと、前記上ケースに形成され前記溝内に嵌る凸部とを備え、前記貫通孔内に前記電極を挿入し前記発熱体に通電して前記溝の底と前記凸部の端部とを溶着するケースの防水構造において、前記下ケースに前記溝を備えた第１壁部と、前記上ケースに前記凸部を備えた第２壁部と、を設け、前記第１壁部の前記第２の壁部との対向面でかつ前記溝と前記凸部との外側に凹凸嵌合部を設けたものである。
【０００７】
また、前記凹凸嵌合部は、前記下ケースの第１壁部の対向面に、前記上ケースの第２壁部の対向面側に突出した突出部と、前記上ケースの第２壁部の対向面に前記突出部が嵌る凹部と、からなるものである。
【発明の効果】
【０００８】
本発明によれば、所期の目的を達成でき、ケースの接合面への水や洗剤や石けんの浸入を抑制するケースの防水構造を提供することができる。
【図面の簡単な説明】
【０００９】
【図１】本発明の第１実施形態の正面図。
【図２】同実施形態のカバーを外した状態の正面図。
【図３】同実施形態の蓋体を外した状態の正面図。
【図４】同実施形態の下ケースの正面図。
【図５】同実施形態の発熱体の正面図。
【図６】図２中Ａ−Ａ線の断面図。
【図７】図２中Ｂ−Ｂ線の断面図。
【図８】本発明の第２実施形態の断面図。
【図９】同実施形態の断面図。
【発明を実施するための形態】
【００１０】
本発明の第１実施形態を浴室内に配置される風呂釜用のリモコン１を用いて説明する。リモコン１は、表示部２と、スイッチなどの操作部３と、これら表示部２と操作部３及び図示しない回路基板などを収納するケース４とを備えている。なお、本実施形態では、ケース４は、カバー５で覆われており、このカバー５は、表示部２と操作部３とケース４の一部が露出する開口５ａを備えている。
【００１１】
カバー５で覆われるケース４は、上下ケース６、７で構成されている。上下ケース６、７は、熱可塑性樹脂で形成されている。ケース４は、貫通した孔からなる取り付け孔８を備えており、この取り付け孔８によって、浴室などの壁面に固定される。
【００１２】
下ケース７は、底板９の周縁に第１壁部１０を備えている。この第１壁部１０は、切れ目なく環状に形成されている。この第１壁部１０には、溝１１が設けられている。この溝１１も第１壁部１０と同様に、切れ目なく環状に形成されている。第１壁部１０と溝１１は、各取り付け孔８を取り囲むように形成されている。特に、溝１１は、取り付け孔８より下ケース７の中心側を通るように設けられている。また、下ケース７には、貫通孔１２が設けられている。この貫通孔１２は、溝１１と連通しており、電極１３が、挿入されるものである。そして、この貫通孔１２から溝１１内に、水などが浸入しないように、貫通孔１２の図３中の上側に溝１１が、広がっており、貫通孔１２の図３中の下側の溝１１は、袋小路となっている。
【００１３】
下ケース７の溝１１内には、２つの発熱体１７、１８が配設されている。２つの発熱体１７、１８は、針金状で、それぞれの端部が、貫通孔１２から露出している。そして、発熱体１７は、コの字形状であり、発熱体１８は、主要部がコの字形状で、その端部が、取り付け孔８より下ケース７の中心側を通り、取り付け孔８を取り囲み、発熱体１８の端部が、図３中の下側を向くように形成されている。
【００１４】
上ケース６は、表示部２や操作部３を備えた表板１４の周縁に第２壁部１５を備えている。この第２壁部１５は、切れ目なく環状に形成されている。この第２壁部１５には、凸部１６が設けられている。この凸部１６も第２壁部１５と同様に、切れ目なく環状に形成されている。この凸部１６は、溝１１内に嵌るものである。
【００１５】
上ケース６と下ケース７とは、発熱体１７、１８を配設した溝１１内に、凸部１６を嵌め込んだ状態で、貫通孔１２内に電極１３を挿入し、発熱体１７、１８に通電して上下ケース６、７の接合面を構成する溝１１の底と凸部１６の端部とを溶着するものである。
【００１６】
また、下ケース７の第１壁部１０と上ケース６の第２の壁部１５との対向面１９、２０で、かつ溝１１と凸部１６との外側に凹凸嵌合部２１が、設けられている。
【００１７】
凹凸嵌合部２１は、下ケース７の第１壁部１０の対向面１９に、上ケース６の第２壁部１５の対向面２０側に突出した突出部２２と、上ケース６の第２壁部１５の対向面２０に突出部２２が嵌る凹部２３と、からなるものである。
【００１８】
突出部２２は、環状で切れ目なく形成されており、凹部２３も、突出部２２と同様に、環状で切れ目なく形成されている。このような凹凸嵌合部２１を設けたことによって、上下ケース６、７の対向面１９、２０の沿面距離を伸ばすことができ、上下ケース６、７の溝１１の底と凸部１６の端部とからなる接合面に水のみならず洗剤や石けんの浸入を防止することができ、ひいては、前記接合面部分でのひびの発生を防止することができる。
【００１９】
なお、本実施形態では、突出部２２、凹部２３の断面形状は、矩形であったが、本実施形態に限定されるものではなく、例えば、図８、９で示す第２実施形態のように、凹凸嵌合部２４を構成する突出部２５、凹部２６の断面形状が、三角形であってもよい。本実施形態の形状であっても、上下ケース６、７の対向面１９、２０の沿面距離を伸ばすことができ、第１実施形態と同様の作用効果を得ることができる。
【産業上の利用可能性】
【００２０】
本発明は、熱可塑性樹脂からなる上下ケースの接合面に抵抗発熱体を挟み込み、この抵抗発熱体に電圧を印可して発熱させることにより、接合面の樹脂を溶融して溶着するケースにおいて、特に、防水が必要な箇所に配設されるケースに利用可能である。
【符号の説明】
【００２１】
６    上ケース
７    下ケース
１０    第１壁部
１１    溝
１２    貫通孔
１３    電極
１５    第２壁部
１６    凸部
１７、１８  発熱体
２１、２４  凹凸嵌合部
２２、２５  突出部
２３、２６  凹部
【図１】
2011009510.tif 000003
【図２】
2011009510.tif 000004
【図３】
2011009510.tif 000005
【図４】
2011009510.tif 000006
【図５】
2011009510.tif 000007
【図６】
2011009510.tif 000008
【図７】
2011009510.tif 000009
【図８】
2011009510.tif 000010
【図９】
2011009510.tif 000011